(57)【特許請求の範囲】
【請求項１】
入球口(29)から入球した遊技球(B) を回転体(24)の回転により２個の第１案内通路(31)と第２案内通路(32)との何れかに振分け、該案内通路(31)(32)を経て遊技盤(5) の裏側へと案内するようにした弾球遊技機の振分装置において、上部に前記入球口(29)を有し且つ前記遊技盤(5) の前面に装着される振分ケース(22)内に、前後方向の回転軸(23)廻りに回転する前記回転体(24)を設け、該回転体(24)の外周に、前記入球口(29)から入球した遊技球(B) が入る第１入球部(43)と第２入球部(44)とを、前記入球口(29)に入球した遊技球(B) を下側から支えて停留させる停留支持部(24a) を介して周方向に位置を変えて設け、前記振分ケース(22)の裏板部(27)に、該裏板部(27)に形成された開口部(33)(34)と、該裏板部(27)から後方に突出するシュート(35)(36)とを有し、且つ前記入球部(43)(44)からの遊技球(B) を前記遊技盤(5) の裏側へと案内する前後方向の前記第１案内通路(31)と前記第２案内通路(32)とを前記第１入球部(43)と前記第２入球部(44)とに対応して設けると共に、遊技球(B) が前記入球口(29)から前記入球部(43)(44)に入球する入球位置と、該入球位置よりも前記回転体(24)の回転方向の前側で且つ前記入球部(43)(44)の下死点位置との間に、前記第１案内通路(31)の前記開口部(33)を前記第２案内通路(32)の前記開口部(34)よりも上側で前記回転体(24)の半径方向の内側にして、前記各案内通路(31)(32)を前記半径方向及び周方向に位置を変えて配置し、前記第１入球部(43)は前記回転体(24)の回転により後端が前記第１案内通路(31)に連通したときに後ろ下がりに傾斜して該第１入球部(43)内の遊技球(B) を前記第１案内通路(31)へと後方に案内する案内溝(47)を有し、前記第２入球部(44)は前記回転体(24)の回転により後端が前記第１案内通路(31)の前を通過するときに、該第２入球部(44)内の遊技球(B) が前記第１案内通路(31)よりも前記半径方向の外方で前記裏板部(27)及び前記振分ケース(22)に当接するように後ろ下がりに傾斜して該第２入球部(44)内の遊技球(B) を後ろ外方へと斜め方向に案内する案内溝(48)を有することを特徴とする弾球遊技機の振分装置。
【発明の詳細な説明】
【０００１】
【産業上の利用分野】
本発明は、パチンコ機、アレンジボール機等の弾球遊技機の振分装置に関するものである。
【０００２】
【従来の技術】
パチンコ機等の弾球遊技機において、遊技盤に装着される振分装置として、上部側に入球口を有する振分ケース内に、前後方向の回転軸廻りに回転する回転体を設け、この回転体に、入球口から入球した遊技球が入る入球部を周方向に間隔をあけて複数個設け、振分ケースの裏板部に、各入球部に個別に対応する複数個の案内通路を設け、回転体の回転により入球部の遊技球を、この入球部に対応する案内通路に振り分けるようにしたものがある。
【０００３】
従来の振分装置は、裏板部の各案内通路を回転軸の側方に略水平方向に並べて配置し、回転体の回転中に、各入球部が夫々対応する各案内通路に連通するように、回転体の外周からの深さを変えて各入球部を設けている。
【０００４】
【発明が解決しようとする課題】
従来の振分装置では、各案内通路を回転軸の側方に略水平方向に並べて配置しているため、例えば案内通路を２箇所設ける場合には、その外側の案内通路から回転軸までの寸法が非常に大になり、これに伴って回転体も大きくする必要がある。従って、従来の振分装置では、装置全体が極めて大きくなるという問題がある。この結果、遊技盤の盤面上に各種の遊技部品と共に振分装置を配置する際に、その振分装置が他の遊技部品の障害となり、ゲーム構成上の設計の自由度が著しく制限される欠点がある。
【０００５】
本発明は、かかる従来の課題に鑑み、装置全体を小型化でき、遊技盤の盤面上に多数の遊技部品を配置する際にも、その設計の自由度を大にできる弾球遊技機の振分装置を提供することを目的とする。
【０００６】
【課題を解決するための手段】
本発明は、入球口29から入球した遊技球B を回転体24の回転により２個の第１案内通路31と第２案内通路32との何れかに振分け、該案内通路31,32 を経て遊技盤5 の裏側へと案内するようにした弾球遊技機の振分装置において、上部に前記入球口29を有し且つ前記遊技盤5 の前面に装着される振分ケース22内に、前後方向の回転軸23廻りに回転する前記回転体24を設け、該回転体24の外周に、前記入球口29から入球した遊技球B が入る第１入球部43と第２入球部44とを、前記入球口29に入球した遊技球B を下側から支えて停留させる停留支持部24a を介して周方向に位置を変えて設け、前記振分ケース22の裏板部27に、該裏板部27に形成された開口部33,34 と、該裏板部27から後方に突出するシュート35,36 とを有し、且つ前記入球部43,44 からの遊技球B を前記遊技盤5 の裏側へと案内する前後方向の前記第１案内通路31と前記第２案内通路32とを前記第１入球部43と前記第２入球部44とに対応して設けると共に、遊技球B が前記入球口29から前記入球部43,44 に入球する入球位置と、該入球位置よりも前記回転体24の回転方向の前側で且つ前記入球部43,44 の下死点位置との間に、前記第１案内通路31の前記開口部33を前記第２案内通路32の前記開口部34よりも上側で前記回転体24の半径方向の内側にして、前記各案内通路31,32 を前記半径方向及び周方向に位置を変えて配置し、前記第１入球部43は前記回転体24の回転により後端が前記第１案内通路31に連通したときに後ろ下がりに傾斜して該第１入球部43内の遊技球B を前記第１案内通路31へと後方に案内する案内溝47を有し、前記第２入球部44は前記回転体24の回転により後端が前記第１案内通路31の前を通過するときに、該第２入球部44内の遊技球B が前記第１案内通路31よりも前記半径方向の外方で前記裏板部27及び前記振分ケース22に当接するように後ろ下がりに傾斜して該第２入球部44内の遊技球B を後ろ外方へと斜め方向に案内する案内溝48を有するものである。
【０００７】
【実施例】
以下、本発明の実施例を図面に基づいて詳述する。図１乃至図１１は本発明の第１実施例を例示する。図１１はパチンコ機の正面図である。図１１において、1 は機枠、2 は機枠1 の前面に開閉自在に枢着された前面枠である。前面枠2 にはガラス扉枠3 及び前面板4 が装着され、その後側に遊技盤5 が着脱自在に装着されている。
【０００８】
遊技盤5 の前面には、発射された遊技球B を案内するガイドレール6 が設けられると共に、このガイドレール6 により囲まれた範囲内に障害釘の他、入球チャッカー7 〜10、変動図柄表示装置11、振分装置12、左入賞装置13、右入賞装置14及びアウト口16等が夫々配置されている。
【０００９】
変動図柄表示装置11は例えば３個の図柄表示部を有し、その各図柄表示部は１０種類の異なる図柄、例えば０〜９までの数字図柄をセグメント表示するようになっている。右入賞装置14は変動図柄表示装置11の各図柄表示部の変動後における停止図柄が、予め設定された当り図柄を表示する時に、所要時間だけ開閉ゲート15が開くようになっている。
【００１０】
振分装置12は遊技球B を遊技盤5 の裏側に案内する第１案内通路31及び第２案内通路32と、遊技盤5 の前側に落下させる落下口30との三つに振り分けるように構成されている。そして、第１案内通路31に遊技球B が入球すると、それを検出して変動図柄表示装置11が始動し、第２案内通路32に遊技球B が入球すると、それを検出して左入賞装置13が作動するようになっている。
【００１１】
前面板4 には上皿17が装着され、この上皿17の前縁部に球払いレバー18が設けられている。前面枠2 の下部には下皿19と発射装置20の操作ハンドル21とが設けられ、操作ハンドル21を操作した時に、上皿17から遊技球B が１個ずつ発射部に供給され、その遊技球B を発射モータの作動によりガイドレール6 に沿って発射するようになっている。
【００１２】
振分装置12は、図１〜図１０に示すように、遊技盤5 の前面に装着される振分ケース22と、この振分ケース22内で前後方向の回転軸23廻りに回転する回転体24と、この回転体24を回転させるための駆動手段であるモーター25とを備えている。振分ケース22は有底円筒状の前カバー26と、この前カバー26の裏側を塞ぐ裏板部27とを備えており、前カバー26が裏板部27にネジで固定されている。前カバー26には円筒部の上部側に入球口29が、下部側に落下口30が夫々形成されている。
【００１３】
裏板部27には回転体24の裏側で開口する第１案内通路31と第２案内通路32とが、回転体24の周方向及び半径方向に位置を変えて配置されている。即ち、各案内通路31,32 は、所定の間隔をおいて上下に配置されると共に、上側の第１案内通路31の開口部33の外側が下側の第２案内通路32の開口部34よりも内側に位置するように左右方向に若干ずれて配置されている。そして、各案内通路31,32 の後側が後方に突出するシュート35,36 となっており、この各シュート35,36 の後方には、遊技球B を検出する検出器( 図示省略) が夫々設けられている。
【００１４】
裏板部27の裏側には、モーター25用の取付ボス37が２本突設され、これらの取付ボス37の後端に、回転体24を回転させるためのモーター25がネジ38で固定されている。
【００１５】
回転体24は図１に示すように短円柱状で、その後部中央の軸部39にモーター25の回転軸23に固定され、前カバー26内で回転軸23廻りに時計方向に回転するようになっている。回転体24の前面中央部には円錐状の突起41が形成され、この突起41が前カバー26に設けられた係合凹部42に係合し、回転時に安定して回転できるようになっている。
【００１６】
回転体24には周方向に略等間隔をあけて２個の第１入球部43及び第２入球部44と１個の入球凹部45が外周に開口して設けられ、その入球部43,44 、入球凹部45の間が、入球口29に入球した遊技球B を下側から支えて停留させる停留支持部24a となっている。そして、回転体24の回転により各入球部43,44 及び入球凹部45が入球口29と一致した時に、入球口29側から各入球部43,44 又は入球凹部45に遊技球B が入るようになっている。
【００１７】
各入球部43,44 は前後の両端が開口し、第１入球部43の底部43a が第２入球部44の底部44a に比べて若干深く形成されている。入球凹部45は前側のみ開口し、後側は後壁46により閉塞されている。第２入球部44と入球凹部45は夫々Ｕ字状に形成され、第１入球部43は開口位置に対して内部側が回転方向の前側に少し切り欠かれた略Ｌ字状に形成されている。これは、遊技者が両入球部43,44 を視覚的に判断できるようにするためである。なお、入球凹部45は後壁46の有無により第２入球部44と容易に区別することができる。
【００１８】
各入球部43,44 には、回転体24の回転中に、その後端が各対応する案内通路31,32 に夫々連通するように傾斜する案内溝47,48 が設けられ、この案内溝47,48 により各入球部43,44 内の遊技球B を各案内通路31,32 側へ案内するようになっている。
【００１９】
即ち、第１入球部43内には、図７及び図８に示すように回転体24の回転により後端が第１案内通路31に連通したときに後ろ下がりに傾斜して、第１入球部43内の遊技球B を第１案内通路31へと案内する案内溝47が、第１入球部43に対して回転体24の回転方向の前側に設けられている。なお、この案内溝47は遊技球B の案内時に平面視において回転軸23と平行になっている。また第２入球部44には、図１の（Ｂ）、図６及び図１０に示すように、回転体24の回転によりその後端が第１入球部43の前を通過するときに、第２入球部44内の遊技球B が第１案内通路31よりも半径方向の外方で裏板部27及び振分ケース22に当接するように後ろ下がりに傾斜して第２入球部44内の遊技球B を後ろ外方へと斜め方向に案内する案内溝48が、第２入球部44に対して回転体24の回転方向の前側に設けられている。
【００２０】
各案内通路31,32 は、入球口29から遊技球B が入球する入球時における各入球部43,44 の底部43a,44a から下方で、且つ回転体24の回転方向の前側の入球部43,44 の下死点位置までの範囲内に設けられている。
【００２１】
上記構成のパチンコ機において、ゲーム時には、発射装置20により遊技球B を１個ずつ発射し、ガイドレール6 を経て遊技盤5 の上部まで案内し、遊技盤5 に沿って下方に落下させる。そして、この落下中に遊技球B が入球チャッカー7 〜10等に入球すれば、それに応じて遊技球B を賞球として払い出す。
【００２２】
落下中に、遊技球B が振分装置12の入球口29に入ると、この遊技球B は、図３に示すように、その下側の回転体24の外周面に当接して、この回転体24により下側から支持されるため、その状態で一時的に停留する。
【００２３】
回転体24の回転中に入球口29と第１入球部43とが一致すると、第１入球部43に遊技球B が入り、この遊技球B は回転体24と共に回転軸23廻りに時計方向に移動する。この時、第１入球部43内の遊技球B は案内溝47により後側に案内され、裏板部27に当接した状態で移動する。
【００２４】
そして、回転体24が更に回転して、図７乃至図９に示すように、第１入球部43と第１案内通路31が一致すると、遊技球B が第１案内通路31の開口部33からシュート35を通って遊技盤5 の裏側に案内され、検出器が遊技球B を検出する。そして、その検出信号が変動図柄表示装置11に送られ、変動図柄表示装置11が作動して図柄を変動させる。
【００２５】
また遊技球B が入球口29で停留している停留時に、入球口29と第２入球部44とが一致すると、第２入球部44に遊技球B が入り、この遊技球B は回転体24と共に移動する。この時、第２入球部44内の遊技球B は案内溝48により後側で且つ回転体24の半径方向外方に案内されるので、裏板部27及び前カバー26の内面に当接した状態で移動する。
【００２６】
従って、図１０に示すように、回転体24の回転により第２入球部44が第１案内通路31の前方を通過する場合であっても、遊技球B は第１案内通路31に入ることなく、回転体24と共に時計方向に回転を続ける。そして、回転体24が更に回転して第２入球部44と第２案内通路32とが一致すると、図１及び図２に示すように、遊技球B は第２案内通路32の開口部34からシュート36を通って遊技盤5 の裏側に案内され、検出器の検出信号により、左入賞装置13が作動する。
【００２７】
また遊技球B が入球口29で停留している停留時に、入球口29と入球凹部45とが一致すると、入球凹部45に遊技球B が入り、この遊技球B は回転体24と共に移動する。この時、入球凹部45の後側には後壁46があるため、入球凹部45内の遊技球B は、途中の第１案内通路31及び第２案内通路32へと案内されることなく下死点まで移動し、入球凹部45が下死点に達した時に落下口30から下側に落下して排出される。
【００２８】
上記構成の振分装置12では、各案内通路31,32 を回転体24の半径方向及び周方向に位置を変えて配置しているので、回転軸23から各案内通路31,32 までの寸法を小さくすることができる。従って、裏板部27及び振分ケース22の大きさを小さくすることができ、装置全体の小型化が可能であり、遊技盤5 の盤面上に各種の遊技部品と共に振分装置12を配置する際に、遊技盤5 の盤面に余裕が生じ、ゲーム構成上の設計の自由度が著しく向上する。
【００３９】
また第２入球部44の案内溝48を傾斜させて設けているので、各入球部43,44 の底部43a,44a 側の深さを大きく変えることなく、各案内通路31,32 に個別に遊技球B を振り分けることができる。
【００３０】
しかも、各案内通路31,32 は入球時における各入球部43,44 の底部43a,44a から下方で、且つ回転体24の回転方向の前側の下死点位置までの範囲内に配置しているので、振分ケース22の右側に各案内通路31,32 を纏めて配置でき、このため、モーター25を回転軸23に対して各案内通路31,32 と反対側で裏板部27に配置でき、振分装置12の前後方向の長さを短くできる。
【００３１】
更に、各入球部43,44 の案内溝47,48 は、各入球部43,44 に対して回転体24の回転方向の前側に設けているので、回転体24の回転に伴って各入球部43,44 内の遊技球B を確実に各案内通路31,32 に案内することができる。また各入球部43,44 及び入球凹部45は、前端側が開口しているので、各入球部43,44 等に入った遊技球B の動きを追いながら、視覚的にもゲームを楽しむことが可能である。
【００３２】
図１２は本発明の第２実施例を示し、振分ケース22の上側に遊技球B の検出スイッチ50を近接して配置できるように、振分ケース22の上端部を少しカットしたものである。この場合には、入球口29に遊技球B が停留している停留時に、検出スイッチ50で遊技球B を検出し、この検出信号により変動図柄表示装置11を変動させるようにする。そして、遊技球B が入った案内通路31,32 の違いにより、開閉ゲート15の開放時間が異なるように構成することができる。
【００３３】
このように振分装置12と検出スイッチ50とを上下に近接して配置することによって、本来、別々の機能と構造を持つ二つの遊技部品を利用して、遊技球B を一時的に停留させるという新たな機能を得ることができ、別途、停留装置を設ける必要がなくなるので、構造を簡単にすることができる。
【００３４】
以上、各実施例について例示したが、本発明はこれらの各実施例に限定されるものではない。例えば、回転体24の回転方向を反時計方向とし、各入球部43,44 の案内溝47,48 を上記実施例の反対側に設けても良い。勿論、本発明は、パチンコ機以外の各種の弾球遊技機においても同様に実施可能である。
【００３５】
【発明の効果】
本発明によれば、回転軸23から各案内通路31,32 までの寸法を小さくすることでき、従って、振分ケース22の大きさを小さくすることができ、装置全体の小型化が可能であり、遊技盤5 の盤面上に各種の遊技部品と共に振分装置12を配置する際に、遊技盤5 の盤面に余裕が生じ、ゲーム構成上の設計の自由度が著しく向上する。
【図面の簡単な説明】
【図１】（Ａ）は本発明の第１実施例を示す振分装置の正面断面図、（Ｂ）は振分装置の平面断面図である。
【図２】本発明の第１実施例を示す振分装置の側面断面図である。
【図３】本発明の第１実施例を示す振分装置の正面図である。
【図４】本発明の第１実施例を示す振分装置の平面図である。
【図５】本発明の第１実施例を示す振分装置の背面図である。
【図６】本発明の第１実施例を示す回転体の背面図である。
【図７】本発明の第１実施例を示す振分装置の動作状態の正面断面図である。
【図８】本発明の第１実施例を示す振分装置の動作状態の平面断面図である。
【図９】本発明の第１実施例を示す振分装置の動作状態の側面断面図である。
【図１０】本発明の第１実施例を示す振分装置の動作状態の正面断面図である。
【図１１】本発明の第１実施例を示すパチンコ機の正面図である。
【図１２】本発明の第２実施例を示す振分装置の正面断面図である。
【符号の説明】
5  遊技盤
12  振分装置
22  振分ケース
23  回転軸
24  回転体
28,29   入球口
30  落下口
31  第１案内通路
32  第２案内通路
43  第１入球部
43a,44a   底部
44  第２入球部
47,48   案内溝
B  遊技球
【図１】
0003889453.tif 000002
【図２】
0003889453.tif 000003
【図３】
0003889453.tif 000004
【図４】
0003889453.tif 000005
【図５】
0003889453.tif 000006
【図６】
0003889453.tif 000007
【図７】
0003889453.tif 000008
【図８】
0003889453.tif 000009
【図９】
0003889453.tif 000010
【図１０】
0003889453.tif 000011
【図１２】
0003889453.tif 000012
【図１１】
0003889453.tif 000013